(57)【特許請求の範囲】
【請求項１】
上方が開いた樋状で、その両側面板のそれぞれの内面において、複数の磁石を同極が同方向に向けて列状に配設するか、または横に長い１つの磁石を配設した樋状体と、
前記樋状体の樋状内に、前記側面板と間隔をおいて、挿入し得る基部の、前記樋状体の両側面板に対向する両側面に、前記樋状体の磁石の前記側面板内面側の極と同極を対向するよう外側に向けて１または複数の磁石を配設した可動体と、  よりなり、樋状体の樋状内に可動体の基部を挿入し、樋状体および基体の双方の磁石で反発させて、可動体を浮上、移行させることを可能とした磁石を用いた動く玩具。
【請求項２】
横方向に長手で、その両側面において、複数の磁石を同極が同方向に向けて列状に配設するか、または横に長い１つの磁石を配設したベースと、
前記ベースに跨がる形態で、その股間で前記ベースの側面と対向する両面のそれぞれに、前記ベースの磁石の極と同極が対向するように内側に向けて１または複数の磁石を配設した可動体と、
よりなり、前記可動体を前記ベースに跨がらし、両者の対向する磁石で反発して可動体を浮上、移動させることを可能とした磁石を用いた動く玩具。
【請求項３】
上方が開口し、平面形状が円形、楕円形、多角形または不規則な形状で、その側面板内面の相対向する部分に１または複数の磁石を、または、側面板全周にわたって複数の磁石を配設した箱体と、
前記箱体の中に、その側面板と間隔をおいて挿入しうる基部を有し、その基部の側面に前記箱体の磁石と同極が対向するように磁石を配設した可動体と、
よりなり、前記箱体内に前記可動体の基部を挿入し、双方の磁石で反発させて可動体を浮上、または、浮上および回転または回動させることを可能とした磁石を用いた動く玩具。
【請求項４】
可動体の基部が、角柱体、円柱体、楕円柱体、または不規則な形状の柱体のいずれかよりなることを特徴とする請求項１および４のいずれかに記載の磁石を用いた動く玩具。
【請求項５】
可動体が、その基部の上方に具象形を設けてなることを特徴とする請求項１乃至４のいずれか記載の磁石を用いた動く玩具。
【請求項６】
可動体が、その基部の上下双方に具象形を設けてなることを特徴とする請求項１、３および４のいずれかに記載の磁石を用いた動く玩具。
【発明の詳細な説明】
【０００１】
【発明の属する技術分野】
この発明は、磁石の反発力を利用した動く玩具に関するものである。
【０００２】
【従来の技術】
磁石の反発力を利用した動く玩具としては、実公平６−７７５８により開示された考案がある。
この考案による玩具は、図２１および２２に示すとおり、複数の永久磁石３０（３０1 、３０2 、３０3 ・・・３０n ）を、それぞれ同じ極（図ではＳ極）を上側にし、少し宛ずらしながら階段状に積層して固定したものを傾斜状態に配置し、適宜カバーケース３１を被装してなるベース３２（レール）と、他方、１つの永久磁石３３にカバーケース３４を被装し、永久磁石３３の一方の極をベース３２の永久磁石３０の上側の極（図ではＳ極）と同じにして対向し、下端にホイール３５を取付け、ベース３２を跨がる形態の可動体３６とよりなり、可動体３６がベース３２を跨がると、永久磁石３０、３３の反発で、可動体３６はベース３２の上面に沿って移行することを可能としたものである。
【０００３】
【発明が解決しようとする課題】
前記玩具のベース３２の磁石３０と可動体３６の磁石３３は、上下に同極が対向しているので、反発して可動体３６はベース３２を上面に沿って移行するが、可動体３６の股間の両内側面とベース３２の両側面とに等間隔をおくことは非常にむつかしく、可動体が傾いたり、何れかの面が接触するおそれが大きく、その場合には摩擦により移行がスムースに行われないおそれがある。
また、可動体３６のケースに人形、動物、車等をあしらってもよいと記載されているが、可動体３６の下部にはベース３２に跨がる部分があるので、可動体３６を上下反対にして使用出来ない。
更に、ベース３２の側面に樹木とか風景を画いても、可動体３６の下部で覆われて隠れ、模様が損なわれる。
【０００４】
この発明は、可動体が溝やベースの両側面と等間隔をおいて安定して浮上または移行する磁石による動く玩具を提供することを目的とする。
【０００５】
【課題を解決するための手段】
上方が開いた樋状で、その両側面板のそれぞれの内面において、複数の磁石を同極が同方向に向けて列状に配設するか、または横に長い１つの磁石を配設した樋状体と、
前記樋状体の樋状内に、前記側面板と間隔をおいて、挿入し得る基部の、前記樋状体の両側面板に対向する両側面に、前記樋状体の磁石の前記側面板内面側の極と同極を対向するよう外側に向けて１または複数の磁石を配設した可動体と、  で構成し、樋状体の樋状内に可動体の基部を挿入し、樋状体および基体の双方の磁石で反発させて、可動体を浮上、移行させることを可能とする。
【０００６】
横方向に長手で、その両側面において、複数の磁石を同極が同方向に向けて列状に配設するか、または横に長い１つの磁石を配設したベースと、
前記ベースに跨がる形態で、その股間で前記ベースの側面と対向する両面のそれぞれに、前記ベースの磁石の極と同極が対向するように内側に向けて１または複数の磁石を配設した可動体と、
で構成し、前記可動体を前記ベースに跨がらし、両者の対向する磁石で反発して可動体を浮上、移動させることを可能とする。
【０００７】
樋状体またはベースの一端を支持部材で支持して持ち上げ傾斜させるのが好ましい。
【０００８】
上方が開口し、平面形状が円形、楕円形多角形または不規則な形状で、その側面板内面の相対向する部分に１または複数の磁石を、または、側面板全周にわたって複数の磁石を配設した箱体と、
前記箱体の中に、その側面板と間隔をおいて挿入しうる基部を有し、その基部の側面に前記箱体の磁石と同極が対向するように磁石を配設した可動体と、
とで玩具を形成し、前記箱体内に前記可動体の基部を挿入し、双方の磁石で反発させて可動体を浮上、または、浮上および回転または回動させることを可能とする。
【０００９】
可動体の基部を、角柱体、円柱体、楕円柱体、または不規則な形状の柱体のいずれかにする。
【００１０】
可動体の基部の上方か、または、上下双方に具象形を設ける。
【００１１】
柱体に磁石を埋設し、前記柱体の両端に、同極または異なる極が配された可動体と、
上方が開いた樋状で、その両側面板のそれぞれの内面において、１または複数の磁石を、同極が同方向に向けて列状に配設した樋状体と、
とで玩具を構成し、前記樋状体内へ、その内面の磁石の列よりも下方に、前記可動体を横にして挿入し、前記樋状体および可動体の双方の磁石で反発させて、前記可動体を移行させることを可能とする。
【００１２】
【発明の実施の形態】
この発明の実施の形態を図面により説明する。
本件発明に係る玩具は、図１に示すとおり、上方が開いた樋状体１と、その樋状体１の樋状内を移行する可動体７とよりなる。
【００１３】
樋状体１は、樋状の両側面板２、２の対向する内面側に、かつ、底辺に平行に、多数の永久磁石等磁石３を少し間隔をおいて、かつ、内面側を全て同極にして配設する。
【００１４】
可動体７は、樋状体１の樋状内に少し間隔をおいて挿入しうる基部４の対向する両面、すなわち、基部４を樋状内に挿入したときに樋状の側面板の内面に対向する面のそれぞれに、永久磁石等磁石５を１または複数を配設する。磁石５の樋状の側面板の内面に対向する側の極は、対向する磁石３の極と同極とする。
【００１５】
可動体７の磁石５と、樋状体１の両側面板内面に配設した磁石３の面との間には、磁石５と磁石３の反発力が局部的に集中しないように一定の隔離空間（間隔）を確保する必要から、可動体７の磁石５の埋没側面（磁石５の面を含む）、または、樋状体１の両側内面（磁石３の面を含める）に、薄いプラスチック膜等で磁束の急激な反発を回避するスペーサー部材を設けるのが好ましい。
【００１６】
樋状体１の側面板の内面と磁石３との外面、および、可動体７の基部４の前記両側面と磁石５の面とは面一であっても、または、磁石の面が、前記樋状体１の側面板または基部４の両側面の面と段差があって凹部を形成してもよい。
磁石の面が凹部を形成する場合には、可動体７の磁石５の面と、樋状体１の両側面板内面に配設した磁石３の面との間に、磁石５と磁石３の反発力が局部的に集中しないための一定の隔離空間（間隔）を確保できるので好ましい。
【００１７】
基部４の上部は、人形、動物、電車、自動車、船、飛行機等乗物等の具象形６とするのが好ましい。
【００１８】
この玩具の使用は次のとおりにする。
すなわち、図２に示すように、樋状体１の樋状内に、可動体７の基部４を、磁石５の面を磁石３に対向させて挿入する。
磁石３と磁石５は同極が対向するので反発し、基部４は樋状体１の樋状内で斜め上方へ浮上する。しかし、樋状体１は重力で落下しようとするが、横の磁石３と反発して順次斜め横に移行する。
【００１９】
可動体７の磁石５が、基部４の両面のそれぞれに１つの場合には、可動体７は多少飛び跳ねるように移行するが、複数の磁石５を配設すれば、飛び跳ねが穏やかになるか、または、殆どなくなりスムースに移行する。
【００２０】
可動体７の磁石５を、樋状体１の磁石３の列より下方になるように、可動体７を樋状体１の樋状内に押し込むと、可動体７は、双方の磁石の反発で、樋状体１の底面と間隔を置いて浮き、横方向に移行する。
この場合には、図２において、可動体７の基部４の磁石５、５のＳ極は、対向する樋状体１の側面板の磁石３、３のＳ極と反発して、基部４が側面板２の内面から遠ざけられる力を受けるが、基部４の磁石５、５のＮ極と側面板２の磁石３、３のＳ極は引き付ける力が働くので、可動体７の基部４が側面板２の内面側に幾分引き付けられようとする。従って、可動体７の基部４は樋状体１内で均衡した状態で浮上し、安定しているので、可動体の移行もスムースで、移行速度も速くなる。
【００２１】
すべての磁石３と磁石５が、図２に示すように、樋状体１の両側面の内面および可動体７の基部４の両側面にすべて同極が対向するようにしたのは、幼児が、可動体１の基部４の挿入方向を考える必要を無くすためである。
【００２２】
３才位になると、判断力も備わるので、樋状体１と可動体７の一方の対向する面をＳ極とし、他方の対向する面をＮ極としてもよい。
この場合には、可動体７の磁石は、図示していないが、図２の磁石３、５を、一方はＳ極で反発させ、もう一方はＮ極で反発するように用いてもよいが、図３に示すように、可動体７の磁石は基部４を貫通した磁石５ａを用いることができ、磁石５ａのＳ極を一方の側面板２の磁石３のＳ極に対向させ、磁石５ａのＮ極を他方の側面板２の磁石３のＮ極に対向させて使用する。これにて可動体７における磁石の数を減らすことが可能になる。なお、この場合に、幼児が基部４の方向を迷わないように、樋状体１と可動体７の基部の磁石で同極の面や、または、その磁石面のある側面の色彩を同色とし、他の面を異色とするのが好ましい。この場合には、幼児に、色合わせをさせる知能刺激効果がある。
【００２３】
樋状体１は、図４に示すように、その一端を支持部材で持ち上げて傾斜させてもよい。
これによって、樋状体１の樋状の中に挿入する基部４は、樋状体１の樋状の中で浮游した状態で傾斜部の上流から下流へ移動するため、玩具として面白味が付加される。
【００２４】
樋状体は、図５に示す樋状体１ａのように、水平状態で曲がったもの、図６に示す樋状体１ｂのように、上下に曲がったものであってもよい。
上下に曲がった樋状体においては、図示していないが、上下を複数回繰り返す形態であってもよい。
さらに、樋状体は図７に示す樋状体１ｃのように、螺旋式のものであってもよい（磁石の図示は省略）。図示した螺旋式の樋状体１ｃは上下に立体的であるが、水平状態で螺旋形態のものであってもよい。
これらによって、基部４の浮游状況での移動形態が多様化して、玩具として面白味がより多くなる。
【００２５】
図５に示す樋状体１ａおよび図６に示す樋状体１ｂも、図４に示す樋状体のように、一端を支持部材で支持して持ち上げて傾斜させてもよい。
これによって、樋状体の樋状の中に挿入する基部４は、樋状体の樋状の中で浮游した状態で傾斜部の上流から下流へ移動するため、玩具として面白味が付加される。
【００２６】
樋状体の側面板の磁石の配列は、図１および図４に示すように、直線状に横並びにするか、図６に示すように側面板２の上下方向の曲線に応じて曲線状に横方向に配列したものであってもよく、また、図８に示すように、側面板の形状と関係なく磁石を横方向に曲線状に配列したものであってもよい。
これらにより、可動体の移動態様に変化をもたせ、面白味を付加させることができる。
【００２７】
図６および図８に示すように、磁石３を上下に高低のある横方向の曲線状に配列した場合には、磁石の磁力によっては、可動体７は移行途中で進行方向の高い位置の磁石の所、すなわち曲線状の高い位置を越えることが出来ずに、途中で停止する場合がある。この様な場合には、磁石を直線状に配列した場合と違った可動体の動きを楽しむことができる。
なお、このような磁石の配列においては、樋状体の一端を支持部材で持ち上げて樋状体を傾斜させるか、または、磁力の強い磁石を用うれば、可動体を前記の曲線状の高い位置を越えて移行させることができる。
【００２８】
可動体は、図１に示すように、基部４の上方に具象形を設けてもよく、または、図９に示すように、基部４の上下に具象形を設けてもよい。基部４の上下に具象形を設ける場合には、上下の具象形を異なる形状の具象形６と６ａとするのが好ましい。この上下に具象形を設けた可動体７ａを使用するには、樋状体の樋状を深くする。
このようにすることによって、基部４を樋状体１の樋状内に挿入する場合、たとえば図９に示すように、動物か車のいずれかを上にして、すなわち、異なる具象形を選択して移動を楽しむことが可能となる。
この場合に、下部になる具象形は樋状内に隠れる構造となる。
【００２９】
樋状体の両側面板の上縁は、図においては直線状であるが、曲線等の凹凸の有る縁であってもよい。
樋状体１の両側面板の外面には、可動体１の具象形６に対応して、木、雲、山、街、波等の絵を描くのが好ましい。
【００３０】
また、樋状体の両側面の外面に、絵を描いたプレートを当接して係止具で取付け取り替えできるようにすれば、具象形６の形態に対応した絵のプレートを選択取り付けることができる。
上記係止具は、限定しないが、樋状体１の両側面板および前記プレートに対応する位置に孔を設け、ゴムまたは軟質のプラスチックの鋲を孔に嵌め込んで係止するのが好ましい。
【００３１】
可動体の基部は、先の何れの図面においても直方体形のものを図示したが、直方体形に限定するものでなく、樋状体の側面板に対向する２面を有する形状のものであればよい。
図１０に示すものは、円柱体形の基部４ａである。この場合、基部４ａに設けた磁石５または５ａは、基体側面で曲面を形成するので、樋状体の樋状内に挿入すると、樋状体の側面の磁石で反発して、基体部ａが反復回動を繰り返しながら移行する。具象形６を人形にすると、人形が踊るようにして移行する。
【００３２】
図１１に示すものは、別の実施の形態を示すもので、先の実施の形態における樋状体をベース（レール）１０に、可動体をベース１０を跨がる形態の可動体１２としたものである。
ベース１０の両側面には、多数の磁石１１を配列し、可動体１２の股間両側面に多数の磁石１３を配列する。図示していないが、ベース１０の磁石１１は、図３に示す可動体７の磁石５ａのように、１個の磁石の両端面をベース１０の両側面に現れるようにしてもよい。
磁石１１と１３とは、互いに対向する側を同極とする。
すなわち、ベース１０の磁石１１は図２、図３の磁石５、５ａのようにベース１０の両側面に配設し、可動体１２の磁石１３は図２、図３の磁石３、３ａと同様に配設する。
ベース１０の磁石１１は、直線状または曲線状のいずれの状態に配列してもよい。また、ベース１０の一端を支持部材で持ち上げてベース１０を傾斜させてもよい。
この実施例は、先の実施例とは、可動部分が逆になるだけで、浮游移動効果は同じで、安定して移動する。
ただし、従来例と同じく、可動体は上下を逆にして使用出来ない。
【００３３】
図１２および図１３に示す実施の形態は、樋状体の代わりに上方が開口した箱体を用いるものである。
図１２に示す箱体１４は、平面形状が長方形で、長手両側面板１５の内面のそれぞれに複数の磁石１６を、同極を内方向にして対向させて、横方向に列状に配設したものである。これに用いる可動体７の基部４の磁石５も、箱体１４の磁石１６と同極が対向するように配設する。
【００３４】
この箱体１４に可動体７の基部４を挿入すると、箱体１４と可動体７の双方の磁石が反発して可動体７は浮上移行する。
しかし、可動体７は、基体４が箱体１４の短い方の側面板１７に衝突して停止する。そこで、その衝突を緩和するために、側面板１７の内面を、フェルト、ゴム、軟質プラスチック等の緩衝シートで覆うのが好ましい。
【００３５】
箱体１４の短い方の側面板１７、１７にも磁石を配設し、側面板１７に対向する可動体７の基部４の面にも、側面板１７の磁石の極と同極を対向するように磁石を配設すれば、対向する磁石の反発で前記衝突の衝撃を防止することができる。
【００３６】
箱体１４の対向する両側面板１５、１５の磁石１６を、図３に示す樋状体１の場合と同様に、それぞれ異極を対向させてもよい。この場合には、可動体の基部４においても、対向する両側面の磁石を側面板１５の磁石の極と同極が対向するように配設する。そして、可動体７の基部４の対向する面の磁石は異極が外方向になるようにする。可動体７の基部４の磁石は、図３に示すように設けてもよい。
【００３７】
図１３に示すものは、平面形状が正方形の箱体１８で、４つの側面板１９のそれぞれに、磁石２０を同極が箱内に向かうよう配設し、可動体７の基部４には、基部４を箱体１８内に挿入したときに、箱体１８の４つの側面板１９に対向する４面のそれぞれに、磁石２１を、箱体１８の磁石２０と同極が対向するように配設したものである。
この箱体１８に可動体７ｂの基部４ｂを挿入すると、基部４ｂの４面の磁石２１が箱体１８の４面の側面板１９の磁石２０と反発して、基部４ｂは箱内のほぼ中心上方に浮上する。
可動体７ｂの具象形６の頂部を指先で押すと、可動体７ｂは降下するが、指先の押圧を解除すると磁石の反発で浮上するので、幼児が可動体７ｂを上下させて楽しく遊ぶことができる。
【００３８】
正方形の箱体１８の各側面板１９には、それぞれ磁石２０を複数個設けてもよい。ただし、個数を多くするためには箱体１８を大きくしなければならないので、それぞれ２〜３個程度とするのが好ましい。
磁石２０は、箱体１８の対向する２面にだけ配設してもよい。
【００３９】
箱体１４および１８の側面に現れれる全ての磁石の面と、可動体７、７ｂの基部４、４ｂの側面に現れれる全ての磁石の面を同極とすれば、可動体７、７ｂの基部４、４ｂの方向を選択する必要がないので、幼児が迷わず、好ましい。
ただし、箱体１４および１８の４面の側面板に現れた磁石の極を、それぞれの面毎に異にし、可動体７、７ｂの基部４、４ｂの面の磁石の極を箱体の磁石の極と同極が対向するように配設してもよい。この場合には、幼児が基部４、４ｂの方向を迷わないように、箱体１４、１８と可動体７、７ｂの基部の磁石で同極の面や、または、その面のある側面板の面の色彩を同色とし、他の面を異色とするのが好ましい。この場合には、幼児は色合わせをすることにより基部の方向を間違わず、また、幼児に色合わせをさせる知能刺激効果がある。
【００４０】
箱体１４、１８に用いる可動体７、７ｂは、図９に示すように、基部４、４ｂの上下に異なる具象形６、６ａを設けてもよい。
この場合には、箱体１４、１８の箱内を深くする。可動体のいずれか一方の具象形を下にして基部を箱内に挿入して使用する。下方の具象形は箱体の側面板で隠れる。
【００４１】
箱体に用いる可動体は、図１０に示すように、基部を円柱体とし、円柱に対向して２個の磁石を配設したものであってもよい。
この場合には、磁石の面が曲面をなすので、升状体の磁石と反発して可動体はわずかに水平回動を繰り返す動きをする。
基部が円柱の可動体において、磁石を２個以上の複数個を円周状に配設してもよい。基部を多角柱体としてもよい。この場合、角にアールを設けるのが好ましい。
【００４２】
箱体は平面形状を正方形に限定するものではなく、その他の多角形、円形、楕円形でもよく、さらには不規則な形状のものでもよい。
【００４３】
図１４に示す箱体２２は平面形状が正六角形で、可動体７ｃの基部４ｃも、正六角形の柱体である。
箱体２２の６つの側面板２３のそれぞれの内面に、１または複数の磁石２４を配設する。
側面板２３の磁石２４は、全て同極を箱内方向に向けるか、相隣接する側面板２３は互いに異極が箱内方向に向くように配設する。
可動体７ｃの基部４ｃの各側面にも、１または複数の磁石２５を、その外方向の極を箱体２２の側面板の磁石２４と同極が対向するように，、すなわち、箱体２２の側面板の磁石２４が全て同極が箱内方向に向いている場合には、可動体の基部４ｃの全ての磁石２５も磁石２４と同極が対向し、側面板２３の磁石２４が、隣接する側面板２３の磁石２４と異極が箱内方向を向いている場合には、基部４ｃの磁石も、基部４ｃの相隣接する側面の磁石は互いに異極が外方向を向くように配設したものを用いる。
【００４４】
箱体２２内に可動体４ｃを箱体内に挿入すると、磁石２４と２５とが反発して、可動体７ｃが図１３に示すものと同様に浮上する。
【００４５】
可動体７ｃの基部４ｃは正六角柱体であるが、図１０に示す基部４ａのように、円柱体の外周に磁石５または５ａを設けたものであってもよく、あるいはまた、円柱体の外周に複数の磁石を輪状に配設したものであってもよい。
更に、基部４ｃ、４ｄを多角柱体としてもよい。この場合には角にアールを設けるのが好ましい。
可動体の基部を上記のように円柱体とした場合には、基部を箱体内に挿入すると、可動体はわずかに回動を繰り返しながら浮上するか、または、回転しながら浮上する。
【００４６】
図１５に示す箱体２６は、平面形状は円形であって、その円周側面板（円筒）２７の内面に、同極が円筒中心軸線方向に向くように複数の磁石２８を輪状に配設したものである。
この箱体２６に用いる可動体７ｄは、その基部４ｄが円柱体で、その外周面に、箱体２６の磁石２８に同極が対向するように、複数の磁石２９を輪状に配設したものを用いる。
基部４ｄは多角柱体であってもよい。この場合には角にアールを設けるのが好ましい。
【００４７】
箱体の平面形状が楕円形の場合には、箱体の平面形状が円形の箱体２６の場合に準じて磁石を配設し、それに用いる可動体の基部も楕円柱体とし、基部４ｄに準じて磁石を配設したものを用いるか、基部４ｄのある可動体７ｄまたは多角柱体の基部の可動体を用いる。基部を箱体内に挿入すると、基部が楕円柱体の場合には可動体は浮上し、基部が円柱体または多角柱体の場合には、可動体はわずかに回動を繰り返しながら浮上するか、または、回転しながら浮上する。
【００４８】
図１６および図１７に示す実施例は、横の状態の柱体の可動体が回転しながら移行する玩具を示す。
すなわち、可動体は断面が円形、楕円形または多角形の柱体の基部の両端に、互いに同極または異極が現れるように磁石を配設したものである。
【００４９】
図１６（Ａ）に示す可動体４０は、柱体の基部４１の両端に穴を設け、それらの穴に、同極が外方向に向くように磁石４２、４２を嵌入したものである。
図１６（Ｂ）に示す可動体４０ａは、柱体の基部４１の両端に穴を設け、それらの穴に、異極が外方向に向くように磁石４２、４２を嵌入したものである。
図１６（Ｃ）に示す可動体４０ｂは、基部４１ａの軸線上または軸線に平行に貫通穴を設け、その貫通穴に磁石４３を嵌入したもので、両端が互いに異極をなすものである。
【００５０】
図１７は、樋状体１と可動体４０（４０ａ、４０ｂ）の使用状態の説明図である。
可動体４０は、基部４１の両端に同極、図においてはＳ極、が現れているので、両側面板２に配列した磁石３は、両側面板２の対向する内面側に現れた極は全て同極となる樋状体１を用いる。
可動体４０ａおよび４０ｂは、基部４１の両端に異極が現れているので、両側面板２に配列した磁石３は、両側面板２の対向する一方の内面側の磁石と、他方の内面側の磁石は異極が対向する樋状体１を用いる。
【００５１】
上記の樋状体１に、可動体４０（４０ａ、４０ｂ）を横にし、両端の磁石が樋状体の側面板内面の磁石３と同極が対向するようにして、側面板内面の磁石３の列よりも下方に押し込むと、互いの磁石の反発で可動体は移行する。
樋状体１の底の一方を持ち上げるか、または支持体８を取付けて、樋状体１をわずかに傾斜させると、可動体の移行スピードは速くなる。
【００５２】
上記いずれの実施の形態においても、樋状体およびベースは連結、分解できるものであってもよい。
【００５３】
図１８は、ベース１０の分割ベース４４を示す。
分割ベース４４は、プレート部４５の面に１または少数の磁石１１を配設し、プレート部４５の一方の側面には１または複数の突起４６を、他方の側面には他の分割ベース４４の突起４６を嵌入できる凹部４７を設けたもので、分割ベースの突起４６を他の分割ベース４４の凹部４７に嵌合して順次分割ベース４４を連結し、ベース１０を形成する。
【００５４】
図１９に示す樋状体の分割体４８は、上方および両側が開口した断面コの字状で、両側面板４９の内面に１または複数の磁石３が対向するように配設したものである。
それぞれの内面において、複数の磁石を配設した場合には、同一の内面においては、それらの磁石３の同極が並ぶように配設する。
対向する内面の磁石３は、同極または異極のいずれが対向してもよい。
２つの分割体４８を連結する際に、他の分割体４８を当接する一方の側面に、１または複数の突起４６を設け、他方の側面に、他の分割体４８の突起４６を嵌入できる複数の凹部４７を設ける。
【００５５】
分割体４８の突起４６を他の分割体４８の凹部４７に嵌入し、順次複数の分割体４８を連結して樋状体を形成する。
【００５６】
曲がったベースや樋状体を形成するためには、突起４６および凹部４７のある側面を磁石３、１１のある面に対して直角でない面とした分割ベースや分割体を用いればよい。
【００５７】
いずれの実施例においても、磁石の端面形状は、円形、楕円形、多角形等いずれの形状でもよい。
【００５８】
いずれの実施例においても、複数の磁石を配列する場合には、各磁石は間隔をおいてもよく、または互いに接してもよい。図２０の（Ａ）は、端面が円形の磁石３が互いに接して側面板２に列状を形成したものを示し、（Ｂ）は、端面が角形の磁石３ａが互いに接して側面板２に列状を形成したものを示す。
また、複数の磁石を長手の磁石に代えてもよい。長手の磁石は長手の表裏の面が対応する極であるものである。図２０（Ｃ）は、長手の磁石３ｂを側面板２に配設したものを示す。長手の磁石３ｂは、図示しているような直線状のものの代わりに、図示していないが、曲線状のものであってもよい。
【００５９】
本願において、磁石を列状に配設するとは、図１（Ｂ）、図６、図８に示すように、複数の磁石３を間隔をおいて配列すること、図２０（Ａ）、（Ｂ）に示すように、複数の磁石３、３ａを互いに接して配列すること、図２０（Ｃ）に示すように、１本の長手の磁石３ｂを配設すること、また、図示していないが、複数の長手の磁石３ｂを横に間隔をおいて、または接して、配設することを言う。
【００６０】
【発明の効果】
この発明に係る玩具は、可動体が安定して浮上し、溝またはベースを安定して移行し、または箱体内中心上方または下方で安定して浮上する。
また、全ての磁石の対向する側を同一の極とすれば、可動体の基部を樋状体の樋状内や箱体の升内に挿入する方向を考慮する必要がなく、幼児でも取扱できる。
可動体の基部は樋状体の溝の両側、箱体の側面板で隠れて見えず、上方で見える部分を人形等の具象形の自然な形状にでき、溝の両側面や箱体の側面板に樹木や風景を画いて可動体の具象形と調和させることができる。
可動体の具象形を、基体の上下双方に設けて、その何れかを選択して上方にして基体を樋状体内や箱体内に挿入し、その上方にした具象形が樋状体や箱体の上方に表れ移行または浮上させることができる。
箱体内に可動体の基部を挿入した場合には、磁石の反発で可動体が箱体内中心上方に浮上するので、浮上した可動体の頂部を指先で押したり、たたいたりして可動体を上下させて遊ぶことができる。
【図面の簡単な説明】
【図１】（Ａ）は可動体の斜視図、（Ｂ）は樋状体の斜視図である。
【図２】樋状体の樋状内に可動体を挿入した状態の要部断面図である。
【図３】樋状体の樋状内に他の形態の可動体を挿入した状態の要部断面図である。
【図４】他の実施の形態の樋状体の斜視図である。
【図５】他の実施の形態の樋状体の斜視図である。
【図６】他の実施の形態の樋状体の側面図である。
【図７】他の実施の形態の樋状体の斜視図である。
【図８】樋状体の側面板の磁石の配列説明図である。
【図９】他の実施の形態の可動体の斜視図である。
【図１０】他の実施の形態の基体の（Ａ）は側面図、（Ｂ）および（Ｃ）はＡ−Ａ断面図である。
【図１１】他の実施の形態の玩具の要部断面図である。
【図１２】平面形状が長方形の箱体に可動体を挿入した状態の斜視図である。
【図１３】平面形状が正方形の箱体に可動体を挿入した状態の斜視図である。
【図１４】平面形状が正方六角形形の箱体に可動体を挿入した状態の斜視図である。
【図１５】平面形状が円形の箱体に可動体を挿入した状態の斜視図である。
【図１６】他の実施の形態の可動体の断面図である。
【図１７】他の実施の形態の玩具の使用状態の説明図である。
【図１８】分割ベースの斜視図である。
【図１９】分割体の斜視図である。
【図２０】磁石の配列説明図である。
【図２１】従来例の玩具の説明側面図である。
【図２２】従来例の玩具の断面説明図である。
【符号の説明】
１  傾斜体
２  側面板
３  磁石
４  基部
５  磁石
６  具象形
７  可動体
８  支持体
１０  ベース
１１  磁石
１２  可動体
１３  磁石
１４  升状体
１５  側板
１６  磁石
１７  側板
１８  升状体
１９  側板
２０  磁石
２１  磁石
２２  箱体
２３  側面板
２４  磁石
２５  磁石
２６  箱体
２７  円周側面板
２８  磁石
２９  磁石
３０  磁石
３１  カバーケース
３２  ベース
３３  磁石
３４  カバーケース
３５  ホイール
４０  可動体
４１  基部
４２  磁石
４３  磁石
４４  分割ベース
４５  プレート部
４６  突起
４７  凹部
４８  分割体
４９  側面板
【図１】
0004017941.tif 000002
【図２】
0004017941.tif 000003
【図３】
0004017941.tif 000004
【図４】
0004017941.tif 000005
【図５】
0004017941.tif 000006
【図６】
0004017941.tif 000007
【図７】
0004017941.tif 000008
【図８】
0004017941.tif 000009
【図９】
0004017941.tif 000010
【図１０】
0004017941.tif 000011
【図１１】
0004017941.tif 000012
【図１２】
0004017941.tif 000013
【図１３】
0004017941.tif 000014
【図１４】
0004017941.tif 000015
【図１５】
0004017941.tif 000016
【図１６】
0004017941.tif 000017
【図１７】
0004017941.tif 000018
【図１８】
0004017941.tif 000019
【図１９】
0004017941.tif 000020
【図２０】
0004017941.tif 000021
【図２１】
0004017941.tif 000022
【図２２】
0004017941.tif 000023